(57)【要約】【課題】ラインストーンを確実に接着固定することができ、しかも接着作業やその準備が煩雑でなくデザインの変更にも即時に対応できるようにラインストーンが装飾されているラインストーン装飾シートにする。【解決手段】被装飾シート１の表面に紡績糸で複数のステッチ２、３を線状に並列させて設け、これら並列する複数のステッチ２、３を跨いでラインストーン４を載置すると共に、このラインストーン４をステッチ２、３に接着剤５で接着固定したラインストーン装飾シートとする。ラインストーン４が複数のステッチ２、３に跨がって安定支持されるようになり、しかも確実に接着固定される。【選択図】図１
2013104146.tif 000002
【特許請求の範囲】
【請求項１】
被装飾シートの表面に紡績糸で複数のステッチを線状に並列させて設け、これら並列する複数のステッチを跨いでラインストーンを載置すると共に、このラインストーンを前記ステッチに接着剤で接着固定してなるラインストーン装飾シート。
【請求項２】
上記被装飾シートが、樹脂で表面を形成した合成皮革または人工皮革からなる被装飾シートである請求項１に記載のラインストーン装飾シート。
【請求項３】
被装飾シートのラインストーンの配置予定位置に紡績糸製のステッチを線状に複数並列するように縫製し、この縫製は、底面径の異なる複数のラインストーンが前記複数のステッチに跨がって安定支持されるように前記ステッチ同士の間隔調整を伴なう縫製であり、次いで前記並列する複数のステッチを跨いでラインストーンを載置すると共に、このラインストーンを前記ステッチに接着剤で接着固定することからなるラインストーン装飾シートの製造方法。
【発明の詳細な説明】
【技術分野】
【０００１】
この発明は、ラインストーンを接着固定して設けたラインストーン装飾シートおよびその製造方法に関するものである。
【背景技術】
【０００２】
一般に、ラインストーン(rhinestone)は、ファセット・カットされたガラス、アクリル樹脂などの裏面に金属を真空蒸着（フォイルバック）した模造宝石の一種であり、裏面を平らに形成したものに接着剤を塗布して貼り付けて装飾でき（特許文献１）、またフォイルバック面に熱接着剤層を重ねて設け、アイロンや超音波などによって要所に熱を加えて接着できるものがある。
【０００３】
図５、６に示すように、このようなラインストーン４は、フォイルバック面に重ねて設けた熱接着剤５を、被装飾シート１に重ねて載置し、これをデザインに合わせて所要の複数個を配置し、これに被装飾シート１の裏面などからアイロンや超音波などによって熱を加えると共に、被装飾シート１に適度の加圧力で押し当てて、図６に示す状態に接着固定される。
【０００４】
また、ラインストーンの接着固定作業をできるだけ容易にして作業労力の軽減を図るために、ラインストーンを配置するための孔を有しかつ接着テープを重ねて設けた接着保持用の型と、位置決めしたラインストーンを接着するための超音波接着機を案内するガイドなどを設けることが知られている（特許文献２）。
【先行技術文献】
【特許文献】
【０００５】
【特許文献１】実用新案登録第３１５３３６１号公報
【特許文献２】特開２００６−１２４８９１号公報
【発明の概要】
【発明が解決しようとする課題】
【０００６】
しかし、装飾に用いるラインストーンは、接着のために利用できる裏面の面積が小さい粒状であり、できるだけ広い角度から光を入・反射させるように被装飾物の表面に突出するように取り付けられるものであるから、外力を受けやすく、しかも剥れやすいものである。特に、ラインストーンは、柔らかく曲がりやすい平滑面、例えば合成皮革や人工皮革などの樹脂製表面を有する曲り易く柔軟な被装飾物に対しては接着力を充分に発揮できないという問題点がある。
【０００７】
また、特許文献２に記載されているように、ラインストーンの接着固定のための作業を容易にするため、ガイドや型を設けることは、却って接着の準備が煩雑になり、またラインストーンの配置の変更、すなわちデザインの変更に即時に対応できないという問題点がある。
【０００８】
そこで、この発明の課題は、上記した問題点を解決して、人工皮革などの樹脂製表面を有する接着の容易でない被装飾物に対しても接着力を充分に発揮するように、ラインストーンを確実に接着固定することができ、しかも接着作業やその準備が煩雑でなくデザインの変更にも即時に対応できるようにラインストーンが装飾されているラインストーン装飾シートとし、またはそれを効率よく製造できる方法としたのである。
【課題を解決するための手段】
【０００９】
上記の課題を解決するために、この発明においては、被装飾シートの表面に紡績糸で複数のステッチを線状に並列させて設け、これら並列する複数のステッチを跨いでラインストーンを載置すると共に、このラインストーンを前記ステッチに接着剤で接着固定してなるラインストーン装飾シートとしたのである。
【００１０】
上記したように構成されるこの発明のラインストーン装飾シートは、ステッチが曲り易く柔軟な被装飾物に一体に縫製されたものであり、かつ紡績加工された繊維製の紡績糸からなるので、接着剤は紡績糸に染み込んで強く接着され、かつラインストーンとは比較的広い底面で接着するから、ラインストーンはステッチと接着剤を介して強い接着力で固定され、被装飾シートの表面から剥れ難く確実に固定される。
【００１１】
また、ラインストーンを並列する複数の線状に並列するステッチを跨いで載置することにより、ラインストーンは、少なくとも２本以上、すなわち複数のステッチに接着固定されることにより、安定した姿勢を維持して遊動しないように、すなわちグラつかないようにしっかりと固定することができる。
【００１２】
ラインストーンが、被装飾シート上で１本の線状のステッチに接着固定されただけでは、被装飾シートの表面から突出する線状ステッチの高さの分だけラインストーンは傾斜するので、安定した姿勢を維持できずに遊動する可能性も高くなってしまうが、前記のように複数の線状ステッチに接着固定されることにより、この状態を回避できる。
【００１３】
被装飾シート上で、上述のような効果的な接着力が発揮されるのは、上記被装飾シートが、樹脂で表面を形成した合成皮革または人工皮革からなる被装飾シートである場合である。
【００１４】
また、このような作用を有するラインストーン装飾シートを製造するには、先ず、被装飾シートのラインストーンの配置予定位置に紡績糸製のステッチを複数線状に並列するように縫製する。この縫製は、底面径の異なる複数のラインストーンが前記複数のステッチに跨がって安定支持されるように前記ステッチ同士の間隔調整を伴なう縫製である。次いで、前記並列する複数のステッチを跨いでラインストーンを載置すると共に、このラインストーンを前記ステッチに接着剤で接着固定する。以上の工程を含むラインストーン装飾シートの製造方法とすることが好ましい。
【００１５】
このようにラインストーン装飾シートを製造すると、様々なデザインに対応するように、ラインストーンの配置予定位置に応じて紡績糸製のステッチを複数並列するように縫製するだけで、ラインストーンのデザインの変更にも即時に対応できる。
【００１６】
すなわち、底面径の異なる複数のラインストーンが、前記複数のステッチに跨がって安定支持されるように前記線状のステッチ同士の間隔調整を伴なう縫製を様々なデザインで行なうことにより、複数のラインストーンが大径から小径まで連続的にまたは段階的に径を変化させながら様々なデザインの直線や曲線に配置することができる。
【００１７】
そして、このように配置されるラインストーンは、前述のような接着状態でステッチと共に確実に被装飾シートと一体に接着固定されるので、人工皮革などの樹脂製表面を有する接着の容易でない被装飾物に対しても接着力を充分に発揮される。
【発明の効果】
【００１８】
この発明は、被装飾シートの表面に紡績糸で設けた並列する複数の線状のステッチを跨いでラインストーンを載置し、前記線状ステッチに接着剤で接着固定したので、ラインストーンを確実に被装飾シートに接着固定することができ、しかも接着作業やその準備が煩雑でなくデザインの変更にも即時に対応できるようにラインストーンが装飾されているラインストーン装飾シートとし、またはそれを効率よく製造できる方法となる利点がある。
【００１９】
このような利点は、特に人工皮革などの樹脂製表面を有する接着の容易でない被装飾物に対しても接着力を充分に発揮させる場合に顕著に現れる。
【図面の簡単な説明】
【００２０】
【図１】実施形態のラインストーン装飾シートの平面図
【図２】実施形態のラインストーン装飾シートの要部拡大断面図
【図３】図１のIII-III線の拡大断面図
【図４】実施形態の製造工程を示し、線状ステッチを縫製した被装飾シートの平面図
【図５】従来例のラインストーン装飾シートの平面図
【図６】従来例のラインストーン装飾シートの要部拡大断面図
【発明を実施するための形態】
【００２１】
図１〜３に示すように、実施形態は、被装飾シート１の表面に紡績糸で複数の線状のステッチ２、３を並列させて設け、これら並列する複数のステッチ２、３を跨いでラインストーン４を載置すると共に、このラインストーン４をステッチ２、３に接着剤５で接着固定したラインストーン装飾シートである。
【００２２】
この発明に用いる被装飾シート１は、その材質や厚みとして、刺繍針を用いてミシンまたは手作業で縫製可能な柔らかさのあるシート素材であればよく、皮革、合成皮革、人工皮革、合成樹脂シート、ゴムシート、またはこのような素材を複合した積層シートからなるものなどが挙げられる。
【００２３】
なお、上記した合成皮革は、天然の布地を基材とし、ポリウレタンやポリ塩化ビニルなどの合成樹脂を塗布したものであり、人工皮革は、不織布などのマイクロファイバーなどからなる布地に合成樹脂を含浸させたもの、またはそれを基材として前記合成樹脂を塗布したものといえる。
【００２４】
ステッチ２、３を形成する紡績糸は、特に限定することなく周知のものを採用できるが、例えば綿花、羊毛、麻、絹、合成繊維などの繊維を紡績加工して製した糸であり、使用する接着剤との接着性ができるだけ良好なものを採用することが好ましい。
【００２５】
ステッチの種類は、線状に並列させて設けた場合に、ラインストーンの底面を安定支持でき、しかも外部からできるだけ見えないようにラインストーンの底面内に収まる刺繍であればよく、特に刺し方の種類を限定するものではないが、例えば、底面の粒径が１〜３ｍｍ程度のラインストーンを複数本で支持するために適当なステッチとして、ランニングステッチ、巻きつけランニングステッチ、ステッドランニングステッチ、ホルベインステッチ、バックステッチなどの線（ライン）状のステッチを採用することが好ましい。
また、直線や曲線状の部分ばかりでなく、ラインストーンを密集させる場合など、デザイン上その他の必要に応じてジグザグステッチ、凹凸形状のステッチやクロスステッチなどの周知のステッチを線状に配置して採用し、または併用してもよい。
【００２６】
この発明に用いる接着剤５は、できるだけ少量または適正な塗布量でラインストーンを接着できるものであればよく、中でも予めラインストーンのフォイルバック面に熱接着剤層を重ねて設けておけば、アイロンや超音波などによって要所に熱を加えて接着することができるので、塗布作業を省略できかつ適正な塗布量でラインストーンを接着できるので好ましいものである。
【００２７】
具体的には、ラインストーンの裏面に塗布される熱接着性の接着剤として用いることが可能なものとしては、例えば、非水溶性熱接着性樹脂として、エチレン酢酸ビニル共重合樹脂、変性エチレン酢酸ビニル共重合樹脂、ポリエチレン、ポリプロピレン、ポリアマイド、アイオノマー、ポリエステル、ポリ塩化ビニル、あるいはこれらの誘導体、またはこれらの混合物が挙げられる。また水溶性熱接着性樹脂としては、ポリビニルアルコール、ポリビニルアルコール系の水溶性ホットメルト型樹脂などが挙げられる。
【００２８】
上記の素材を用いてラインストーン装飾シートを製造するには、図４に示すように、先ず、合成皮革などからなる被装飾シート１の表面に予めラインストーンの配置デザインに応じて、市販のコンピュータミシンなどを用いて２本以上に複数平行する紡績糸製ミシン糸からなる複線のステッチ２、３を形成する。
【００２９】
図示した複線のステッチの形状は、コンピュータミシンなどを用いて被装飾シート１のラインストーンの配置予定位置をハート型に設定し、ランニングステッチによる２本のステッチ２、３同士の間隔を、その中央部ａから左右に遠い部分ほど広げて縫製したものである。
【００３０】
次に、図１に示すように、ステッチ２、３のハート型の上下の中央部分ａには底面径の小さく、全体としても粒径の小さなラインストーン４ａを配置し、中央から左右に遠い部分には底面径の大きなラインストーン４ｂを配置する。
【００３１】
図３に示すように、ラインストーン４の配置は、並列する２本のステッチ２、３を跨いでラインストーン４ａ、４ｂが水平（被装飾シート１の表面に平行）になって傾かないようにしており、できれば２本のステッチ２、３の中央が、ラインストーン４ａ、４ｂの各重心に一致するように配置することが、ラインストーン４をより安定した姿勢で支持するために好ましい。
【００３２】
この実施形態では、使用するラインストーン４には、予めフォイルバック面に重ねて裏面に、例えばポリウレタン樹脂ホットメルト接着剤５を皮膜状に重ねて塗布乾燥して設けている。
【００３３】
そして、上記のラインストーンの裏面側から、被装飾シート１を介してアイロンまたは超音波接着機を用いて熱を加えてホットメルト接着剤を溶解し、その後、放熱により自然冷却させて接着することができる。
【００３４】
このようにすると図２に示すように、接着剤５は紡績糸からなるステッチ２、３に染み込んで強く接着され、かつ接着剤５はラインストーン４と予め底面で接着しているから、ラインストーン４はステッチ２、３と接着剤５によって強い接着力で固定され、被装飾シートの表面から剥れ難く確実に固定される。
なお、接着剤５は、適宜に適量を塗布してラインストーン４の底面に層状に設けてもよいのは勿論である。
【００３５】
以上のようにして粒径や底面径の異なる複数のラインストーン４を用いると、複数の線状ステッチ２、３に跨がって確実に、しかも安定支持されるように接着固定され、かつ柔らかな曲線を活かしたデザインで美しいラインストーン装飾シートを構成することができる。
【実施例】
【００３６】
［実施例１］
ウレタン樹脂の被覆されている合成皮革（厚さ約１ｍｍ）に図１に示すハート型（横３ｃｍ、縦２．５ｃｍ）の配置予定位置に綿糸製の２本の線状のステッチを並列するように縫製し、粒径１．５ｍｍの６個と粒径２ｍｍの２６個の合計３２個のラインストーン（フォイルバック面に重ねて裏面にポリウレタン樹脂ホットメルト接着剤が被覆されているもの）を組み合わせて２本の線状ステッチを跨いで熱接着し、図示したラインストーン装飾シートを製造した。
【００３７】
［比較例１］
線状ステッチを設けなかったこと以外は、実施例１と全く同様にしてラインストーン装飾シートを製造した。
得られた実施例１と比較例１のラインストーン装飾シートに対して、以下のように剥離強さ試験を行なった。
剥離強さ試験：ＪＩＳ  Ｌ  １０７６  準用  ＴＯ形（研磨紙：Ｃｗ−Ｃ−Ｐ８００、回転数  １２００ｒｐｍ、時間５分）
【００３８】
上記試験の結果、比較例１のものは、３２個のラインストーン中の粒径２ｍｍのものが６個剥離した。
一方、実施例１のものは、剥離したラインストーンはなく、接着力は充分に発揮された。
【符号の説明】
【００３９】
１  被装飾シート
２、３  線状ステッチ
４、４ａ、４ｂ  ラインストーン
５  接着剤
ａ  中央部分
【図１】
2013104146.tif 000003
【図２】
2013104146.tif 000004
【図３】
2013104146.tif 000005
【図４】
2013104146.tif 000006
【図５】
2013104146.tif 000007
【図６】
2013104146.tif 000008